(57)【要約】【課題】来場者が、コンテンツを視聴可能なエリア内に、単に進入したときではなく、このコンテンツに興味を示したときに、このコンテンツを流すことができる。【解決手段】赤外線センサーとカメラとを備えるシステムであって、  赤外線センサーにより、人物を検知する手段と、  人物を検知した後に、カメラを起動する手段と、  カメラにより顔認証が成功した場合、コンテンツを流す手段とを備えることを特徴とするコンテンツ起動システム。【選択図】図３
2015095797.tif 000002
【特許請求の範囲】
【請求項１】
赤外線センサーとカメラとを備えるシステムであって、
赤外線センサーにより、人物を検知する手段と、
人物を検知した後に、カメラを起動する手段と、
カメラにより顔認証が成功した場合、コンテンツを流す手段とを備えることを特徴とするコンテンツ起動システム。
【請求項２】
カメラにより顔認証が成功した場合、コンテンツを流す手段が、カメラにより顔認証が成功した場合、認証した顔毎にコンテンツを変えて流す手段であることを特徴とする請求項１記載のコンテンツ起動システム。
【請求項３】
モニターも備え、流すコンテンツが、モニターから放映される映像であることを特徴とする請求項１又は２に記載のコンテンツ起動システム。
【請求項４】
スピーカーも備え、流すコンテンツが、スピーカーから放送される音声であることを特徴とする請求項１又は２に記載のコンテンツ起動システム。
【請求項５】
赤外線センサーとカメラとを備えるシステムが行う方法であって、
赤外線センサーにより、人物を検知する工程と、
人物を検知した後に、カメラを起動する工程と、
カメラにより顔認証が成功した場合、コンテンツを流す工程とを含むことを特徴とするコンテンツ起動方法。
【請求項６】
カメラにより顔認証が成功した場合、コンテンツを流す工程が、カメラにより顔認証が成功した場合、認証した顔毎にコンテンツを変えて流す工程であることを特徴とする請求項５記載のコンテンツ起動方法。
【請求項７】
前記システムはモニターも備え、流すコンテンツが、モニターから放映される映像であることを特徴とする請求項５又は６に記載のコンテンツ起動方法。
【請求項８】
前記システムはスピーカーも備え、流すコンテンツが、スピーカーから放送される音声であることを特徴とする請求項５又は６に記載のコンテンツ起動方法。
【請求項９】
赤外線センサーとカメラとを備えるシステムに、
赤外線センサーにより、人物を検知する工程と、
人物を検知した後に、カメラを起動する工程と、
カメラにより顔認証が成功した場合、コンテンツを流す工程とを実行させることを特徴とするコンテンツ起動プログラム。
【請求項１０】
カメラにより顔認証が成功した場合、コンテンツを流す工程が、カメラにより顔認証が成功した場合、認証した顔毎にコンテンツを変えて流す工程であることを特徴とする請求項９記載のコンテンツ起動プログラム。
【請求項１１】
前記システムはモニターも備え、流すコンテンツが、モニターから放映される映像であることを特徴とする請求項９又は１０に記載のコンテンツ起動プログラム。
【請求項１２】
前記システムはスピーカーも備え、流すコンテンツが、スピーカーから放送される音声であることを特徴とする請求項９又は１０に記載のコンテンツ起動プログラム。
【発明の詳細な説明】
【技術分野】
【０００１】
本発明は、展示会場、イベント会場やショールームなどで、コンテンツに興味を示す人がいるときだけコンテンツを流すコンテンツ起動システム、方法、及びプログラムに関する。
【背景技術】
【０００２】
従来、展示会場、イベント会場やショールームなどで、モニターなどによるビデオ映像を放映する際、来場者がモニターに近接配置されたボタンを押すことで放映を始めるというシステムや、赤外線で来場者を検知し放映を始めるというシステムが知られている（例えば特許文献１参照）。
【０００３】
しかしながら、前者のシステムでは、来場者がボタンを押す必要があり、その動作をする手間が掛かるのと、他人が触れたボタンを衛生的に嫌うことがあるのとから、ボタンを押す行為が敬遠されることがあるという問題がある。
【０００４】
また、後者のシステムでは、ビデオ映像を見るつもりがなくても、モニターの近くを通ったら、赤外線センサーが反応し、放映が始まってしまうことがあるという問題がある。
【先行技術文献】
【特許文献】
【０００５】
【特許文献１】特開平１１−２５３６８号公報
【発明の概要】
【発明が解決しようとする課題】
【０００６】
本発明では、このような問題を解決すべく、来場者が、コンテンツを視聴可能なエリア内に、単に進入したときではなく、このコンテンツに興味を示したときに、このコンテンツを流すことができることを課題とする。
【課題を解決するための手段】
【０００７】
本発明において上記課題を解決するために、まず請求項１の発明では、
赤外線センサーとカメラとを備えるシステムであって、
赤外線センサーにより、人物を検知する手段と、
人物を検知した後に、カメラを起動する手段と、
カメラにより顔認証が成功した場合、コンテンツを流す手段とを備えることを特徴とするコンテンツ起動システムとしたものである。
【０００８】
また請求項２の発明では、
カメラにより顔認証が成功した場合、コンテンツを流す手段が、カメラにより顔認証が成功した場合、認証した顔毎にコンテンツを変えて流す手段であることを特徴とする請求項１記載のコンテンツ起動システムとしたものである。
【０００９】
また請求項３の発明では、
モニターも備え、流すコンテンツが、モニターから放映される映像であることを特徴とする請求項１又は２に記載のコンテンツ起動システムとしたものである。
【００１０】
また請求項４の発明では、
スピーカーも備え、流すコンテンツが、スピーカーから放送される音声であることを特徴とする請求項１又は２に記載のコンテンツ起動システムとしたものである。
【００１１】
また請求項５の発明では、
赤外線センサーとカメラとを備えるシステムが行う方法であって、
赤外線センサーにより、人物を検知する工程と、
人物を検知した後に、カメラを起動する工程と、
カメラにより顔認証が成功した場合、コンテンツを流す工程とを含むことを特徴とするコンテンツ起動方法としたものである。
【００１２】
また請求項６の発明では、
カメラにより顔認証が成功した場合、コンテンツを流す工程が、カメラにより顔認証が成功した場合、認証した顔毎にコンテンツを変えて流す工程であることを特徴とする請求項５記載のコンテンツ起動方法としたものである。
【００１３】
また請求項７の発明では、
前記システムはモニターも備え、流すコンテンツが、モニターから放映される映像であることを特徴とする請求項５又は６に記載のコンテンツ起動方法としたものである。
【００１４】
また請求項８の発明では、
前記システムはスピーカーも備え、流すコンテンツが、スピーカーから放送される音声であることを特徴とする請求項５又は６に記載のコンテンツ起動方法としたものである。
【００１５】
また請求項９の発明では、
赤外線センサーとカメラとを備えるシステムに、
赤外線センサーにより、人物を検知する工程と、
人物を検知した後に、カメラを起動する工程と、
カメラにより顔認証が成功した場合、コンテンツを流す工程とを実行させることを特徴とするコンテンツ起動プログラムとしたものである。
【００１６】
また請求項１０の発明では、
カメラにより顔認証が成功した場合、コンテンツを流す工程が、カメラにより顔認証が成功した場合、認証した顔毎にコンテンツを変えて流す工程であることを特徴とする請求項９記載のコンテンツ起動プログラムとしたものである。
【００１７】
また請求項１１の発明では、
前記システムはモニターも備え、流すコンテンツが、モニターから放映される映像であることを特徴とする請求項９又は１０に記載のコンテンツ起動プログラムとしたものである。
【００１８】
また請求項１２の発明では、
前記システムはスピーカーも備え、流すコンテンツが、スピーカーから放送される音声であることを特徴とする請求項９又は１０に記載のコンテンツ起動プログラムとしたものである。
【発明の効果】
【００１９】
本願の請求項１、請求項５、及び請求項９に係る発明は、コンテンツを視聴可能なエリア内に人物がいるかを検知するように赤外線センサーを設置し、このエリア内で、このコンテンツに興味を示すと判断される方向に顔を向けたときに、この顔が写るようにカメラを配置すると、来場者が、コンテンツを視聴可能なエリア内に、単に進入したときではな
く、このコンテンツに興味を示したときに、このコンテンツを流すことができるという効果がある。
【００２０】
また、本願の請求項１、請求項５、及び請求項９に係る発明は、赤外線センサーにより、来場者がコンテンツを視聴可能なエリア内にいると検知されたときだけ、カメラを起動するので、消費電力を少なくすることができるという効果もある。
【００２１】
本願の請求項２、請求項６、及び請求項１０に係る発明は、コンテンツを視聴可能なエリア内にいて、このコンテンツに興味を示す人物毎に、それぞれに、より興味深く、或いは、より理解し易いコンテンツを流すことができるという効果がある。
【００２２】
本願の請求項３、請求項７、及び請求項１１に係る発明は、コンテンツが映像である場合に、本願の請求項４、請求項８、及び請求項１２に係る発明は、コンテンツが音声である場合に、上記各効果が得られる。
【００２３】
以上、本発明は、来場者が、コンテンツを視聴可能なエリア内に、単に進入したときではなく、このコンテンツに興味を示したときに、このコンテンツを流すことができるという効果がある。
【図面の簡単な説明】
【００２４】
【図１】本願発明のコンテンツ起動システムのハードウェア構成例を示す図。
【図２】モニターと赤外線センサーとカメラとの配置例を示す図。
【図３】本願発明のコンテンツ起動システムが行うコンテンツ起動処理の流れの例を示す図。
【発明を実施するための形態】
【００２５】
以下に、本発明の一実施形態を説明する。
【００２６】
本発明のコンテンツ起動システムは、図１に示すように、赤外線センサーと、カメラと、出力部と、制御部とを備る。
【００２７】
出力部は、コンテンツを出力して流すための装置であって、コンテンツによって変わり、例えば、コンテンツが絵画や造形物等の展示物を案内する音声の場合は、スピーカーを備え、コンテンツが映像の場合にはモニターを備える。
【００２８】
コンテンツはデータベースに記録されており、コンテンツが音声の場合、データベースに記録されている音声をスピーカーから放送し、コンテンツが映像の場合、データベースに記録されている映像をモニターから放映する。
【００２９】
データベースは、制御部が備えても良いし、制御部とは別に設けても良い。
【００３０】
スピーカーは、絵画や造形物等の展示物を案内する音声を放送するためのものであるので、この展示物に隣接して配置されることが好ましい。
【００３１】
モニターとしては、図２に示すように、壁などに備え付けのモニターや、展示台に置いたタブレット等が挙げられる。
【００３２】
赤外線センサーは、コンテンツを視聴可能なエリア内に人や物が進入したことを赤外線
で検知するためのものであって、反射検出方式や透過検出方式のものを用いることができる。
【００３３】
反射検出方式の赤外線センサーは、投光素子より赤外線（光）を照射し、光学系（レンズ）を通じて、コンテンツを視聴可能なエリアに投影し、受講素子により反射光を受光する。そして、このエリア内に人や物が進入すると生じる赤外線の反射光量を検出信号に変換して人や物を検知する。
【００３４】
透過検出方式の赤外線センサーは、投光素子と受光素子とをライン上に配置し、この投光素子と受光素子との間に入る人や物の進入による赤外線の受光量を検出信号に変換して人や物を検知する。
【００３５】
赤外線センサーは、コンテンツを視聴可能なエリアに人が進入したことを赤外線で検知するためものなので、例えば、コンテンツが映像であれば、モニターに隣接して配置させることが好ましく、コンテンツが音声であれば、この音声で案内される展示物に隣接して配置させることが好ましい。
【００３６】
図２に、反射検出方式の赤外線センサーを、モニターが取り付けられている壁に、このモニターに隣接して設置した例を示す。
【００３７】
カメラは、コンテンツを視聴可能なエリア内で、このコンテンツに興味を示すと判断される方向に顔を向けたときに、この顔が写るように配置され、カメラにより撮像した画像を顔認証し、顔認証が成功したらコンテンツに興味がある人がいると判断するため、顔認証可能な画像を撮像できるカメラを用いることができる。
【００３８】
具体的には、撮像素子、レンズなどを有するデジタルカメラを用いることができる。
【００３９】
また、カメラは、コンテンツを視聴可能なエリア内で、このコンテンツに興味を示すと判断される方向に顔を向けたときに、この顔が写るように配置され、カメラにより撮像した画像を顔認証し、顔認証が成功したらコンテンツに興味がある人がいると判断するため、例えば、カメラは、コンテンツが映像であれば、図２に示すように、モニターに顔を向けると顔が写るように、モニターに隣接して配置させることが好ましく、コンテンツが音声であれば、この音声で案内される展示物に顔を向けると顔が写るように、この展示物に隣接して配置させることが好ましい。
【００４０】
顔認証は、ソフトウェアにより顔画像から目立つ特徴を抽出することで顔の識別を行う。
【００４１】
顔認証は、カメラに内蔵されているマイクロコンピュータが、このソフトウェアに従って行っても良いし、制御部がコンピュータであって、カメラから画像を制御部に送り、この制御部が、顔認証を、このソフトウェアに従って行っても良い。
【００４２】
制御部は、赤外線センサー、カメラ、出力部を制御して、赤外線センサーで人を検知したら、カメラを起動させ、カメラから顔認証が成功したとの情報を受信するか、或いは、カメラから送られた画像の顔認証に成功すると、コンテンツを出力部から流すコンテンツ起動処理を行う。
【００４３】
制御部は、これら制御及び処理を、プログラムに従って行うコンピュータであっても良い。
【００４４】
流すコンテンツは、認証した顔毎に変えても良い。例えば、子供と大人で変える。人種により音声や映像を変えるなどである。
【００４５】
以下に、本発明のコンテンツ起動システムが行うコンテンツ起動処理の流れを、図３のフローチャートに従って説明する。
【００４６】
Ｓ（ＳＴＥＰ）１；
赤外線センサーにより、来場者がコンテンツを視聴可能なエリア内にいるかを検知し、
来場者がコンテンツを視聴可能なエリア内にいる場合、ＳＴＥＰ２に進む。
来場者がコンテンツを視聴可能なエリア内にいない場合、上記検知を続ける。
【００４７】
Ｓ（ＳＴＥＰ）２；
カメラを起動する。
【００４８】
Ｓ（ＳＴＥＰ）３；
カメラは、コンテンツを視聴可能なエリアを撮像する。カメラにより撮像した画像を顔認証する。
顔認証できた場合、コンテンツを視聴可能なエリア内に、コンテンツに興味を示している来場者がいると判断して、ＳＴＥＰ４に進む。
顔認証できなかった場合、コンテンツを視聴可能なエリア内に、コンテンツに興味を示している来場者がいないと判断して、赤外線センサーにより、来場者がコンテンツを視聴可能なエリア内にいることを検知している限り、上記撮像をし撮像した画像の顔認証を続け、赤外線センサーにより、来場者がコンテンツを視聴可能なエリア内にいないことを検知した場合は、ＳＴＥＰ１に戻る。
【００４９】
Ｓ（ＳＴＥＰ）４；
データベースからコンテンツを読み出して出力部から出力して流す。
【００５０】
常に、カメラを起動していると消費電力が大きいが、このように、赤外線センサーにより、来場者がコンテンツを視聴可能なエリア内にいると検知されたときだけ、カメラを起動することにより、少ない消費電力で、来場者が、コンテンツを視聴可能なエリア内に、単に進入したときではなく、このコンテンツに興味を示したときに、このコンテンツを流すことができるという効果が得られる。
【図１】
2015095797.tif 000003
【図２】
2015095797.tif 000004
【図３】
2015095797.tif 000005